【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
中空繊維幾何形状のマクロポーラス又はメソポーラスポリマフィルムを調製するための方法であって、
ａ．
ポリマフィルムを形成するための揮発性溶媒中の少なくとも一種の共重合体又は少なくとも一種の単独重合体の第一ポリマ溶液を用意し、
溶媒中にポリエーテルスルホン（ＰＥＳ）を含むキャリア溶液を用意し、
ボア流体を用意し、
室温で液体のポリオールを用意する工程と、
ｂ．
第四のダイ（４）によって囲まれた第三のダイ（３）を介して前記液体ポリオールをパージしながら、同時に紡糸口金の中で前記第四のダイ（４）を介して前記第一ポリマ溶液をプレスし、
前記第三のダイ（３）によって囲まれた第二のダイ（２）を介して前記キャリア溶液をプレスし、
前記第二のダイ（２）によって囲まれた第一の最も内側のダイ（１）を介して少なくとも一種の沈殿剤を含む前記ボア流体をパージし、
続いてプレスした前記ポリマ溶液を水性沈殿浴に浸漬し、前記紡糸口金と前記水性沈殿浴との間に設けられたギャップを、前記押し出された第一ポリマ溶液が通過して前記液体ポリオール、前記キャリア溶液及び前記ボア流体を囲んで繊維前駆体を形成する工程と、
ｃ．
前記沈殿浴中で繊維前駆体を沈殿させて、前記キャリア溶液からのポリエーテルスルホン（ＰＥＳ）を含むキャリア基材を囲む中空繊維ポリマフィルムを形成する工程と、
ｄ．
任意に、前記中空繊維ポリマフィルムを、囲まれた前記キャリア基材から分離する工程と
を含むことを特徴とする方法。
【請求項２】
前記ダイが、環形状を有することを特徴とする、
請求項１に記載の方法。
【請求項３】
前記押し出された第一ポリマ溶液が通過する、前記紡糸口金と前記沈殿浴との間の前記ギャップが、１ｃｍ〜５０ｃｍの長さを有する、
請求項１又は２に記載の方法。
【請求項４】
前記第二のダイを介して押し出された前記キャリア溶液が、ポリ（エチレングリコール）（ＰＥＧ）、Ｎ−メチル−２−ピロリドン（ＮＭＰ）等のメチルピロリドン及び／又は水と混合したポリエーテルスルホン（ＰＥＳ）を含むことを特徴とする、
請求項１に記載の方法。
【請求項５】
前記液体ポリオールが、グリセリン、エチレングリコール及びペンタエリスリトールから選択される、
請求項１〜４のいずれか一項に記載の方法。
【請求項６】
前記共重合体が、前記フィルム形成溶液について、ポリスチレン−ｂ−ポリ（４−ビニルピリジン）共重合体、ポリ（α−メチルスチレン）−ｂ−ポリ（４−ビニルピリジン）共重合体、ポリ（パラ−メチルスチレン）−ｂ−ポリ（４−ビニルピリジン）共重合体、ポリ（ｔ−ブチルスチレン）−ｂ−ポリ（４−ビニルピリジン）共重合体、ポリ（トリメチルシリルスチレン）−ｂ−ポリ（４−ビニルピリジン）共重合体、ポリスチレン−ｂ−ポリ（２−ビニルピリジン）共重合体、ポリ（α−メチルスチレン）−ｂ−ポリ（２−ビニルピリジン）共重合体、ポリ（パラ−メチルスチレン）−ｂ−ポリ（２−ビニルピリジン）共重合体、ポリ（ｔ−ブチルスチレン）−ｂ−ポリ（２−ビニルピリジン）共重合体、ポリ（トリメチルシリルスチレン）−ｂ−ポリ（２−ビニルピリジン）共重合体、ポリスチレン−ｂ−ポリブタジエン共重合体、ポリ（α−メチルスチレン）−ｂ−ポリブタジエン共重合体、ポリ−（パラ−メチルスチレン）−ｂ−ポリブタジエン共重合体、ポリ（ｔ−ブチルスチレン）−ｂ−ポリブタジエン共重合体、ポリ（トリメチルシリルスチレン）−ｂ−ポリブタジエン共重合体、ポリスチレン−ｂ−ポリイソプレン共重合体、ポリ（α−メチルスチレン）−ｂ−ポリイソプレン共重合体、ポリ（パラ−メチルスチレン）−ｂ−ポリイソプレン共重合体、ポリ（ｔ−ブチルスチレン）−ｂ−ポリイソプレン共重合体、ポリ（トリメチルシリル−スチレン）−ｂ−ポリイソプレン共重合体、ポリスチレン−ｂ−ポリ（エチレン−ｓｔａｔ−ブチレン）共重合体、ポリ（α−メチルスチレン）−ｂ−ポリ（エチレン−ｓｔａｔ−ブチレン）共重合体、ポリ（パラ−メチルスチレン）−ｂ−ポリ（エチレン−ｓｔａｔ−ブチレン）共重合体、ポリ（ｔ−ブチルスチレン）−ｂ−ポリ（エチレン−ｓｔａｔ−ブチレン）共重合体、ポリ（トリメチルシリルスチレン）−ｂ−ポリ（エチレン−ｓｔａｔ−ブチレン）共重合体、ポリスチレン−ｂ−（エチレン−ａｌｔ−プロピレン）共重合体、ポリ（α−メチルスチレン）−ｂ−（エチレン−ａｌｔ−プロピレン）共重合体、ポリ（パラ−メチルスチレン）−ｂ−（エチレン−ａｌｔ−プロピレン）共重合体、ポリ（ｔ−ブチルスチレン）−ｂ−（エチレン−ａｌｔ−プロピレン）共重合体、ポリ（トリメチルシリルスチレン）−ｂ−（エチレン−ａｌｔ−プロピレン）共重合体、ポリスチレン−ｂ−ポリシロキサン共重合体、ポリ（α−メチルスチレン）−ｂ−ポリシロキサン共重合体、ポリ（パラ−メチルスチレン）−ｂ−ポリシロキサン共重合体、ポリ（ｔ−ブチルスチレン）−ｂ−ポリシロキサン共重合体、ポリ（トリメチルシリルスチレン）−ｂ−ポリシロキサン共重合体、ポリスチレン−ｂ−ポリアルキレンオキシド共重合体、ポリ（α−メチルスチレン）−ｂ−ポリアルキレンオキシド共重合体、ポリ（パラ−メチルスチレン）−ｂ−ポリアルキレンオキシド共重合体、ポリ（ｔ−ブチルスチレン）−ｂ−ポリアルキレンオキシド共重合体、ポリ（トリメチル−シリルスチレン）−ｂ−ポリアルキレンオキシド共重合体、ポリスチレン−ｂ−ポリ−ε−カプロラクトン共重合体、ポリ（α−メチルスチレン）−ｂ−ポリ−ε−カプロラクトン共重合体、ポリ（パラ−メ��ルスチレン）−ｂ−ポリ−ε−カプロラクトン共重合体、ポリ（ｔ−ブチルスチレン）−ｂ−ポリ−ε−カプロラクトン共重合体、ポリ（トリメチルシリルスチレン）−ｂ−ポリ−ε−カプロラクトン共重合体、ポリスチレン−ｂ−ポリ（メタクリル酸メチル）共重合体、ポリ（α−メチルスチレン）−ｂ−ポリ（メタクリル酸メチル）共重合体、ポリ（パラ−メチルスチレン）−ｂ−ポリ（メタクリル酸メチル）共重合体、ポリ（ｔ−ブチルスチレン）−ｂ−ポリ（メタクリル酸メチル）共重合体、ポリ（トリメチルシリルスチレン）−ｂ−ポリ（メタクリル酸メチル）共重合体、ポリスチレン−ｂ−ポリ（アクリル酸メチル）共重合体、ポリ（α−メチルスチレン）−ｂ−ポリ（アクリル酸メチル）共重合体、ポリ（パラ−メチルスチレン）−ｂ−ポリ（アクリル酸メチル）共重合体、ポリ（ｔ−ブチルスチレン）−ｂ−ポリ（アクリル酸メチル）共重合体、ポリ（トリメチルシリルスチレン）−ｂ−ポリ（アクリル酸メチル）、ポリスチレン−ｂ−ポリ（メタクリル酸ヒドロキシエチル）共重合体、ポリ（α−メチルスチレン）−ｂ−ポリ（メタクリル酸ヒドロキシエチル）共重合体、ポリ（パラ−メチルスチレン）−ｂ−ポリ（メタクリル酸ヒドロキシエチル）共重合体、ポリ（ｔ−ブチルスチレン）−ｂ−ポリ（メタクリル酸ヒドロキシエチル）共重合体、ポリ（トリメチルシリルスチレン）−ｂ−ポリ（メタクリル酸ヒドロキシエチル）共重合体、ポリスチレン−ｂ−ポリアクリルアミド共重合体、ポリ（α−メチルスチレン）−ｂ−ポリアクリルアミド共重合体、ポリ（パラ−メチルスチレン）−ｂ−ポリアクリルアミド共重合体、ポリ（ｔ−ブチルスチレン）−ｂ−ポリアクリルアミド共重合体、ポリ（トリメチルシリルスチレン）−ｂ−ポリアクリルアミド共重合体、ポリスチレン−ｂ−ポリ（ビニルアルコール）共重合体、ポリ（α−メチルスチレン）−ｂ−ポリ（ビニルアルコール）共重合体、ポリ（パラ−メチルスチレン）−ｂ−ポリ（ビニルアルコール）共重合体、ポリ（ｔ−ブチルスチレン）−ｂ−ポリ（ビニルアルコール）共重合体、ポリ（トリメチルシリルスチレン）−ｂ−ポリ（ビニルアルコール）共重合体、ポリスチレン−ｂ−ポリビニルピロリドン共重合体、ポリ（α−メチルスチレン）−ｂ−ポリビニルピロリドン共重合体、ポリ（パラ−メチルスチレン）−ｂ−ポリビニルピロリドン共重合体、ポリ（ｔ−ブチルスチレン）−ｂ−ポリビニルピロリドン共重合体、及びポリ（トリメチルシリルスチレン）−ｂ−ポリビニルピロリドン共重合体  ポリスチレン−ｂ−ポリ−ビニルシクロヘキサン共重合体、ポリスチレン−ｂ−ポリ−ビニルシクロヘキサン共重合体、ポリスチレン−ｂ−ポリ−ビニルシクロヘキサン共重合体、ポリスチレン−ｂ−ポリ−ビニルシクロヘキサン共重合体、ポリ（トリメチルシリルスチレン）−ｂ−ポリビニル−シクロヘキサン共重合体から選択される、
請求項１〜５のいずれか一項に記載の方法。
【請求項７】
前記共重合体又は単独重合体が、前記フィルム形成溶液について、酢酸セルロース（ＣＡ）、酢酸酪酸セルロース（ＣＡＢ）、ポリスチレン（ＰＳ）、ポリエーテルスルホン（ＰＥＳ）、ポリスルホン（ＰＳｆ）、ポリフェニレンスルホン（ＰＰＳＵ）、ポリエーテルイミド（ＰＥＩ）、ポリアクリロニトリル（ＰＡＮ）、ポリフッ化ビニリデン（ＰＶＤＦ）、マトリミドから選択されることを特徴とする、
請求項１〜６のいずれか一項に記載の方法。
【請求項８】
フィルム形成ポリマ用の前記溶媒が、ジエチルエーテル、アセトニトリル、１，４−ジオキサン、アセトン、二硫化炭素、アセトン、テトラヒドロフラン及び／又は他の低沸点溶媒、若しくは高沸点溶媒と低沸点溶媒との混合物から選択される、
請求項１〜７のいずれか一項に記載の方法。
【請求項９】
前記フィルム形成ポリマ溶液が、少なくとも一種の金属イオンを含有する化合物を更に含むことを特徴とする、
請求項１〜８のいずれか一項に記載の方法。
【請求項１０】
追加の方法工程なしに行われる、
請求項１〜９のいずれか一項に記載の方法。